(57)【特許請求の範囲】
【請求項１】
床の中央付近の上方に中間床が設けられ、この中間床と前記床との間が天井高の低い収納室とされた建物において、
前記中間床上には中間部屋が設けられており、
上下に重なり合う前記収納室および中間部屋の周囲には、複数の部屋が、これら収納室および中間部屋を周回する方向に隣接して設けられており、
前記複数の部屋は、隣接する部屋との間に設けられる出入口をそれぞれ備えており、
前記収納室は、前記複数の部屋のうち少なくとも、この収納室の四方に位置する部屋との間に設けられる出入口を備えており、
前記中間部屋は、屋外に面して設けられる窓を備えていることを特徴とする建物。
【請求項２】
請求項１に記載の建物において、
前記複数の部屋の出入口は、前記収納室および中間部屋の近傍に配置されていることを特徴とする建物。
【請求項３】
請求項１または２に記載の建物において、
前記中間部屋は、この中間部屋の上方に位置する屋根を含んで構成されており、前記窓は、前記屋根に形成される天窓であることを特徴とする建物。
【請求項４】
請求項１〜３のいずれか一項に記載の建物において、
前記中間部屋は、屋外に面する外壁を含んで構成されており、前記窓は、前記外壁に形成される窓であることを特徴とする建物。
【請求項５】
請求項１〜４のいずれか一項に記載の建物において、
前記収納室の出入口は、前記収納室と、前記複数の部屋のうち前記収納室を挟んで配置された一方および他方の部屋との間にそれぞれ設けられており、
前記一方および他方の部屋は、前記収納室の出入口と対向する窓を含んで構成されていることを特徴とする建物。
【発明の詳細な説明】
【技術分野】
【０００１】
本発明は、平屋建て住宅等の建物に関する。
【背景技術】
【０００２】
平屋建て住宅等の建物内に複数の部屋を配置する場合、これら複数の部屋は廊下で接続された構成となるため、廊下を形成する分だけ、各部屋を広く形成できないという問題があった。また、複数の部屋を建物内にばらばらに点在させると、建物内の動線の確保が阻害されるという問題があった。そこで、リビングルームを中心に、かつリビングルームに隣接するようにして各部屋を配置することによって、建物内の自由な動線を確保する技術が知られている（例えば、特許文献１参照）。
【先行技術文献】
【特許文献】
【０００３】
【特許文献１】特開２０００−０８７５６８号公報
【発明の概要】
【発明が解決しようとする課題】
【０００４】
ところが、リビングルームを中心に複数の部屋を配置し、各部屋に収納スペースを設けると、収納スペースが建物内に散在することになる。このように収納スペースが散在すると、収納スペースを形成する分だけ各部屋を広く形成できないし、散在する収納スペースへの物品の分配方法や収納スペース間での物品の移動等の面で使い勝手が良くない場合がある。また、例えば特許文献１に記載のような、リビングルーム上方の屋根裏部屋を収納スペースとして利用することもできるが、階段や梯子等を上り下りしなければならないため、比較的重量のある物品の持ち運びが困難となる場合がある。
また、一般に、住宅等の建物では、上述のような問題の解決だけでなく、通風性や採光性を向上させたい等の要望もある。
【０００５】
本発明の課題は、建物内の自由な動線を確保しつつ、物品の収納しやすさや快適な屋内環境の形成等を含む総合的な居住性の向上が可能な建物を提供することを目的とする。
【課題を解決するための手段】
【０００６】
請求項１に記載の発明は、例えば図１〜図３に示すように、床２の中央付近の上方に中間床３が設けられ、この中間床３と前記床２との間が天井高の低い収納室１０とされた建物１において、
前記中間床３上には中間部屋１１が設けられており、
上下に重なり合う前記収納室１０および中間部屋１１の周囲には、複数の部屋１２〜１９が、これら収納室１０および中間部屋１１を周回する方向に隣接して設けられており、
前記複数の部屋１２〜１９は、隣接する部屋１２〜１９との間に設けられる出入口２１〜２８をそれぞれ備えており、
前記収納室１０は、前記複数の部屋１２〜１９のうち少なくとも、この収納室１０の四方に位置する部屋（例えば部屋１２，キッチン１３，洗面室１５，和室１８）との間に設けられる出入口１０ａ〜１０ｄを備えており、
前記中間部屋１１は、屋外に面して設けられる窓（例えば天窓６ｃ，窓８ａ等）を備えていることを特徴とする。
【０００７】
請求項１に記載の発明によれば、前記複数の部屋１２〜１９自体を、前記収納室１０および中間部屋１１の周囲に配置される周回通路として利用することができるので、この周回通路を通じて複数の部屋１２〜１９間を容易に行き来できる。さらに、前記収納室１０の出入口１０ａ〜１０ｄを通じて、前記収納室１０と、この収納室１０の四方に位置する部屋との間を行き来できるので、この収納室１０の四方に位置する部屋を含み、かつ周回通路として利用される前記複数の部屋１２〜１９と前記収納室１０との間の容易に行き来できる。これによって、建物１内の自由な動線を確保しつつ、前記収納室１０への物品の収納しやすさを向上できる。すなわち、前記収納室１０に前記複数の部屋１２〜１９の物品を収納することにより、建物１内に収納スペースを散在させる必要が無くなるので、前記複数の部屋１２〜１９で使用される物品を前記収納室１０に一まとめに収納できる。また、前記収納室１０に収納された物品を、どこかの部屋に移動させる際は、前記収納室１０と各部屋１２〜１９との間で物品を移動させるだけで済む。このように前記収納室１０への物品の収納しやすさを向上できるので、居住性の向上に貢献できる。
また、建物１内の空気を、周回通路として利用される前記複数の部屋１２〜１９間や、前記収納室１０と前記複数の部屋１２〜１９との間で循環させることができるとともに、前記中間部屋１１の窓を通じて建物１内の換気を行うことができる。さらに、前記中間部屋１１の窓を通じて、この中間部屋１１への採光を確実に行うことができる。これによって、建物１の通風性や採光性の向上でき、快適な屋内環境を形成できるので、居住性の向上に貢献できる。
【０００８】
請求項２に記載の発明は、例えば図１に示すように、請求項１に記載の建物１において、
前記複数の部屋１２〜１９の出入口２１〜２８は、前記収納室１０および中間部屋１１の近傍に配置されていることを特徴とする。
【０００９】
請求項２に記載の発明によれば、前記複数の部屋１２〜１９の出入口２１〜２８は、前記収納室１０および中間部屋１１の近傍に配置されているので、前記複数の部屋１２〜１９により構成される周回通路の長さを極力短くすることができる。これによって、建物１内における移動距離を短くすることができるので、より効率良く移動できる動線を確保することができる。
【００１０】
請求項３に記載の発明は、例えば図２および図３に示すように、請求項１または２に記載の建物１において、
前記中間部屋１１は、この中間部屋１１の上方に位置する屋根（例えば中央屋根部６）を含んで構成されており、前記窓は、前記屋根に形成される天窓６ｃであることを特徴とする。
【００１１】
請求項３に記載の発明によれば、前記窓は、前記屋根に形成される天窓６ｃであることから、この天窓６ｃを通じて前記中間部屋１１内の換気や採光が可能となる。特に、上空からの太陽光を前記中間部屋１１に差し込ませやすくなるとともに、上昇する暖かい空気を屋外へと排出しやすくなる。また、この中間部屋１１を介して、建物１内の通風性および採光性を向上できる。
【００１２】
請求項４に記載の発明は、例えば図２および図３に示すように、請求項１〜３のいずれか一項に記載の建物１において、
前記中間部屋１１は、屋外に面する外壁８を含んで構成されており、前記窓は、前記外壁８に形成される窓８ａであることを特徴とする。
【００１３】
請求項４に記載の発明によれば、前記窓は、前記外壁８に形成される窓８ａであることから、この窓８ａを通じて前記中間部屋１１内の換気や採光が可能となる。また、この中間部屋１１を介して、建物１内の通風性および採光性を向上できる。
しかも、前記中間部屋１１から屋外の風景を見ることができるので、建物１の中央に配置された前記中間部屋１１の開放感を高めることができる。
【００１４】
請求項５に記載の発明は、例えば図１および図２に示すように、請求項１〜４のいずれか一項に記載の建物１において、
前記収納室１０の出入口１０ａ，１０ｃは、前記収納室１０と、前記複数の部屋１２〜１９のうち前記収納室１０を挟んで配置された一方および他方の部屋１２，１５との間にそれぞれ設けられており、
前記一方および他方の部屋１２，１５は、前記収納室１０の出入口１０ａ，１０ｃと対向する窓５ａ，５ｂを含んで構成されていることを特徴とする。
【００１５】
請求項５に記載の発明によれば、前記窓５ａから前記一方の部屋１２内に取り込んだ屋外の空気を、前記出入口１０ａを通じて前記収納室１０に流通させることができる。また、前記収納室１０内に取り込んだ空気を、前記出入口１０ｃを通じて前記他方の部屋１５に流通させることができる。また、前記他方の部屋１５に取り込んだ空気を、前記窓５ｂを通じて屋外へと排出することができる。さらに、逆方向に空気を流通させることもできるので、建物１内の通風性をより向上させることができる。
【発明の効果】
【００１６】
本発明によれば、上下に重なり合う収納室および中間部屋の周囲に、複数の部屋が、これら収納室および中間部屋を周回する方向に隣接して設けられており、複数の部屋は、隣接する部屋との間に設けられる出入口をそれぞれ備えるので、これら複数の部屋自体を、収納室および中間部屋の周囲に配置される周回通路として利用することができ、この周回通路を通じて複数の部屋間を容易に行き来できる。さらに、収納室の出入口を通じて、収納室と、この収納室の四方に位置する部屋との間を行き来できるので、この収納室の四方に位置する部屋を含み、かつ周回通路として利用される複数の部屋と収納室との間の容易に行き来できる。これによって、建物内の自由な動線を確保しつつ、収納室への物品の収納しやすさを向上できる。すなわち、収納室に複数の部屋の物品を収納することにより、建物内に収納スペースを散在させる必要が無くなるので、複数の部屋で使用される物品を収納室に一まとめに収納できる。また、収納室に収納された物品を、どこかの部屋に移動させる際は、収納室と各部屋との間で物品を移動させるだけで済む。このように収納室への物品の収納しやすさを向上できるので、居住性の向上に貢献できる。
また、建物内の空気を、周回通路として利用される複数の部屋間や、収納室と複数の部屋との間で循環させることができるとともに、中間部屋の窓を通じて建物内の換気を行うことができる。さらに、中間部屋の窓を通じて、この中間部屋への採光を確実に行うことができる。これによって、建物の通風性や採光性を向上でき、快適な屋内環境を形成できるので、居住性の向上に貢献できる。
【図面の簡単な説明】
【００１７】
【図１】本発明に係る建物であり、（ａ）は下層を示す平断面図であり、（ｂ）は上層を示す平断面図である。
【図２】図１の建物を示す側断面図である。
【図３】図１の建物の屋根であり、（ａ）は北側からの斜視図であり、（ｂ）は南側からの斜視図である。
【発明を実施するための形態】
【００１８】
以下、図面を参照して本発明の実施の形態について説明する。
なお、本実施の形態を示す図１において、上側は北の方角とされており、下側が南の方角とされている。また、図２において、右側は北の方角とされており、左側が南の方角とされている。
【００１９】
図１〜図３において符号１は、建物を示す。この建物１は、床２と、この床２の中央付近の上方に設けられる中間床３とを備える上下二層構造の平屋建て住宅とされている。
前記床２は、建物１の下層の床面を構成するものであり、前記中間床３は、建物１の上層の床面を構成するものである。また、この建物１の上部には屋根が設けられている。
また、下層の前記床２と上層の前記中間床３との間には、図１に示すように、階段４が設けられており、この階段４を介して上下層間を行き来できるようになっている。
【００２０】
また、前記中間床３と前記床２との間は天井高の低い収納室１０とされ、前記中間床３上には中間部屋１１が設けられており、これら収納室１０と中間部屋１１とは上下に重なり合うようにして設けられている。
さらに、上下に重なり合う収納室１０および中間部屋１１の周囲には、複数の部屋１２〜１９が、これら上下に重なり合う収納室１０および中間部屋１１を周回する方向に隣接して設けられている。また、これら複数の部屋１２〜１９は、建物１の周囲に設けられる外壁５の内側に配置されている。
すなわち、前記建物１の下層は、前記収納室１０と複数の部屋１２〜１９とによって構成されており、前記建物１の上層は、前記中間部屋１１によって構成されている。
【００２１】
本実施の形態の複数の部屋１２〜１９は、図１および図２に示すように、部屋１２と、キッチン１３と、浴室１４と、洗面室１５と、トイレ１６と、クローゼット１７と、和室１８と、玄関１９とされている。
また、これら複数の部屋１２〜１９は、隣接する部屋１２〜１９との間に設けられる出入口２１〜２８をそれぞれ備えている。
なお、これら出入口２１〜２８には、適宜、戸や襖等の建具が設けられているものとする。すなわち、浴室１４やトイレ１６には戸等の建具が必須であり、玄関１９の正面に位置する和室１８にも襖等の建具が設けられていた方が好ましい。また、建具が設けられた出入口２１〜２８の開口部は、この建具によって開閉自在とされている。
【００２２】
前記収納室１０および中間部屋１１を中心として、前記部屋１２は建物１の南側および南東側に配置されている。また、前記キッチン１３は東側に配置されている。
また、前記浴室１４は北東側に配置されており、前記洗面室１５は北側の北東寄りに配置され、前記トイレ１６は北側の北西寄りに配置されている。
さらに、前記クローゼット１７は北西側に配置されており、前記和室１８は西側に配置されている。そして、前記玄関１９は南西側に配置されている。
なお、これら複数の部屋１２〜１９が配置される方角は、これに限られるものではなく、適宜変更可能である。
【００２３】
前記部屋１２は、リビングルームとダイニングルームの機能を一室に併存させた部屋とされている。また、この部屋１２には前記階段４が設けられている。
また、前記外壁５のうち、この部屋１２の位置に該当する部分の外壁５には窓５ａが設けられている。なお、この窓５ａは掃き出し窓とされている。また、この窓５ａは建物１の南側に配置されている。
【００２４】
前記キッチン１３は、このキッチン１３を南北に縦断する通路部１３ａと、この通路部１３ａの西側に設けられるコンロ付き流し台１３ｂと、東側に設けられる収納部１３ｃとを備える。
また、前記通路部１３ａの南側端部と前記部屋１２との間には出入口２１が設けられている。
前記通路部１３ａの北側端部付近は、前記浴室１４を回避するためにクランク状に形成されている。また、この通路部１３ａの北側端部と前記洗面室１５との間には出入口２２が設けられている。
【００２５】
前記浴室１４は、前記キッチン１３の北側で、かつ前記洗面室１５の東側に配置されており、この浴室１４と前記洗面室１５との間に出入口２３が設けられている。
【００２６】
前記洗面室１５は、この洗面室１５を東西に縦断する通路部１５ａと、この通路部１５ａの北側に設けられる洗面台１５ｂとを備える。
また、前記通路部１５ａの西側端部と前記トイレ１６との間には出入口２４が設けられている。なお、前記浴室１４との間の出入口２３は、前記通路部１５ａの東側端部に位置する。
また、前記外壁５のうち、この洗面室１５の位置に該当する部分の外壁５には窓５ｂが設けられている。この窓５ｂは、図１および図２に示すように、外壁５の高い位置に、かつ前記洗面台１５ｂよりも高い位置に配置されている。
【００２７】
前記トイレ１６は、このトイレ１６を東西に縦断する通路部１６ａを備える。
また、前記通路部１６ａの西側端部と前記クローゼット１７との間には出入口２５が設けられている。なお、前記洗面室１５との間の出入口２４は、前記通路部１６ａの東側端部に位置する。
【００２８】
前記クローゼット１７は、いわゆるウォークインクローゼットであり、このクローゼット１７の東側から南側にかけて設けられる通路部１７ａを備える。
また、前記通路部１７ａの南側端部と前記和室１８との間には出入口２６が設けられている。なお、前記トイレ１６との間の出入口２５は、前記通路部１７ａの東側端部に位置する。
【００２９】
前記和室１８は、この和室１８を南北に縦断する通路部１８ａを備える。
また、前記通路部１８ａの南側端部と前記玄関１９との間には出入口２７が設けられている。なお、前記クローゼット１７との間の出入口２６は、前記通路部１８ａの北側端部に位置する。
また、前記和室１８の出入口２７は、和室１８の短手方向分の幅寸法に設定された開口部であり、この開口部には襖等の建具が３枚取り付けられている。
【００３０】
前記玄関１９は、前記床２により構成される玄関ホール１９ａと、この玄関ホール１９ａよりも一段低い床面に設定された玄関土間部１９ｂとを備える。
前記玄関ホール１９ａは通路として機能しており、この玄関ホール１９ａの東側端部と前記部屋１２との間には出入口２８が設けられている。なお、前記和室１８との間の出入口２７は、前記玄関ホール１９ａの北側端部に位置する。
【００３１】
なお、前記部屋１２も、前記玄関ホール１９ａとの間の出入口２８から、前記キッチン１３との間の出入口２１に向かって、この部屋１２を縦断する通路部１２ａを備えるものとする。
【００３２】
以上のように、前記複数の部屋１２〜１９は、隣接する部屋１２〜１９との間に設けられる出入口２１〜２８をそれぞれ備えることになる。しかも、前記複数の部屋１２〜１９は、通路部１２ａ〜１８ａ，玄関ホール１９ａをそれぞれ備えるため、これら複数の部屋１２〜１９自体を、前記収納室１０および中間部屋１１の周囲に配置される周回通路２０として利用することができる。
【００３３】
なお、前記通路部１２ａ〜１８ａ，玄関ホール１９ａは、通路として利用される領域として各部屋１２〜１９に備えられており、この通路として利用される領域は、図１（ａ）に示すように、各出入口２１〜２８同士を接続するようにして略帯状に形成されているものとする。
また、前記出入口２１〜２８は、図１（ａ）に示すように、前記収納室１０および中間部屋１１の近傍に配置されている。これに伴い、前記通路部１２ａ〜１８ａ，玄関ホール１９ａも、前記収納室１０および中間部屋１１の近傍に配置される。
これによって、前記複数の部屋１２〜１９により構成される前記周回通路２０の長さを極力短くすることができるので、建物１内における移動距離を短くすることができ、効率良く移動できる動線を確保することができる。つまり、前記周回通路２０は、前記複数の部屋１２〜１９間を最短ルートで周回できるように設定されている。
なお、前記周回通路２０は、左回りでも右回りでも通行可能であることは言うまでもない。
【００３４】
続いて、前記収納室１０について詳細に説明する。
前記収納室１０は、図１および図２に示すように、前記複数の部屋１２〜１９のうち少なくとも、この収納室１０の四方に位置する部屋１２，１３，１５，１８との間に設けられる出入口１０ａ〜１０ｄを備える。
これによって、前記出入口１０ａ〜１０ｄを通じて、前記収納室１０と、この収納室１０の四方に位置する部屋１２，１３，１５，１８との間を行き来できるので、これら四方の部屋１２，１３，１５，１８を含んで構成された前記周回通路２０と、前記収納室１０との間も容易に行き来できることになる。
なお、これら出入口１０ａ〜１０ｄには、適宜、戸等の建具が設けられているものとする。
【００３５】
前記出入口１０ａは、前記収納室１０の南側において前記部屋１２との間に設けられており、前記通路部１２ａに面するとともに前記階段４に隣接して配置されている。
この出入口１０ａは、前記収納室１０のうち、前記和室１８側の壁と、前記階段４側の壁との間の幅寸法分に設定された開口部であり、この開口部には、引戸等の建具が３枚取り付けられている。
【００３６】
前記出入口１０ｂは、前記収納室１０の東側において前記キッチン１３の北側端部との間に設けられており、前記通路部１３ａに面するとともに前記コンロ付き流し台１３ｂに隣接して配置されている。
【００３７】
前記出入口１０ｃは、前記収納室１０の北側において前記洗面室１５との間に設けられており、前記通路部１５ａに面して配置されている。
【００３８】
前記出入口１０ｄは、前記収納室１０の西側において前記和室１８との間に設けられており、前記通路部１８ａに面して配置されている。
【００３９】
また、前記出入口１０ａ，１０ｃは、前記収納室１０と、前記複数の部屋１２〜１９のうち前記収納室１０を挟んで配置された前記部屋１２と前記洗面室１５との間にそれぞれ設けられている。
そして、前記出入口１０ａは、前記部屋１２の外壁５に設けられた前記窓５ａと対向しており、前記出入口１０ｃは、前記洗面室１５の外壁５に設けられた前記窓５ｂと対向している。より詳細には、前記出入口１０ａは、前記窓５ａが設けられた部分の外壁５と対向しており、前記出入口１０ｃは、前記窓５ｂが設けられた部分の外壁５と対向していることになる。
これによって、前記窓５ａから前記部屋１２内に取り込んだ屋外の空気を、前記出入口１０ａを通じて前記収納室１０に流通させることができる。また、前記収納室１０内に取り込んだ空気を、前記出入口１０ｃを通じて前記洗面室１５に流通させることができる。また、前記洗面室１５に取り込んだ空気を、前記窓５ｂを通じて屋外へと排出することができる。さらに、逆方向に空気を流通させることもできるので、建物１内の通風性を向上できる。
【００４０】
また、前記収納室１０の天井高は、０．９ｍ〜１．４ｍに設定されており、大人でも腰を屈めた状態で出入りができるとともに、収納室１０内での作業も比較的容易に行うことができる。
これによって、人が収納室１０に入って何とか作業できる最低限の高さを確保して収納スペースとしての利便性を確保できるとともに、建物１の高さが高くなるのを極力抑えることができる。
【００４１】
続いて、前記中間部屋１１および前記屋根と、その周辺について詳細に説明する。
前記中間部屋１１は、図１および図２に示すように、前記中間床３上に設けられた部屋であり、本実施の形態ではリビングルームとして利用されている。
前記中間床３の前記部屋１２側端部には、この部屋１２に面する手摺壁１１ａが立設されており、この手摺壁１１ａ上方の開口を通じて、中間部屋１１と部屋１２とが空間的なつながりを持った状態となっている。このため、本実施の形態では、この中間部屋１１はリビングルームとして利用されている。
【００４２】
また、前記中間部屋１１は、手摺壁１１ａ側を除く三方には、前記複数の部屋１２〜１９との間に設けられる壁が設けられている。なお、前記手摺壁１１ａは、前記階段４に隣接して配置されている。
そして、前記中間部屋１１の前記和室１８側の壁には、図２に示すように、窓１１ｂが設けられており、中間部屋１１と和室１８との間における通風やコミュニケーションが確保できるようになっている。
【００４３】
前記中間部屋１１は、図２および図３に示すように、この中間部屋１１の周囲に設けられ、屋外に面する外壁８，９の内側に配置されている。
また、この中間部屋１１の上方には、前記屋根のうち、特に中間部屋１１の上方に位置する中央屋根部６が設けられている。すなわち、建物１の上部に設けられる前記屋根は、前記中間部屋１１の上方に位置する前記中央屋根部６と、この中央屋根部６の外周に設けられ、前記複数の部屋１２〜１９の上方に位置する外周屋根部７とからなる。
【００４４】
前記外周屋根部７は南北にそれぞれ傾斜する二つの屋根面７ａ，７ｂを有する切妻屋根とされており、一方の屋根面７ａは南側に設けられ、他方の屋根面７ｂは北側に設けられている。
また、この外周屋根部７の棟は、図２に示すように、前記中間部屋１１の手摺壁１１ａの上方に位置している。このため、前記一方の屋根面７ａは、前記他方の屋根面７ｂよりも傾斜方向の長さが短くなっている。
【００４５】
なお、前記外周屋根部７の他方の屋根面７ｂには、図２に示すように、天窓７ｃが形成されている。この天窓７ｃは、図１（ａ）に示すように、前記洗面室１５の上方に位置している。すなわち、前記洗面室１５には、この天窓７ｃと、前記外壁５に形成された前記窓５ｂとが設けられることになる。
【００４６】
前記中央屋根部６は、図２および図３に示すように、前記外周屋根部７の他方の屋根面７ｂ側に、この他方の屋根面７ｂよりも上方に位置するようにして設けられている。すなわち、この中央屋根部６は、前記外周屋根部７の棟から他方の屋根面７ｂの中央付近にかけて配置されている。
また、この中央屋根部６は、南北にそれぞれ傾斜する二つの屋根面を形成する第一屋根面材６ａと、第二屋根面材６ｂとを有する。
【００４７】
前記第一屋根面材６ａは、南側に配置されるとともに、前記外周屋根部７の一方の屋根面７ａと連続する屋根面を形成している。また、この第一屋根面材６ａによって形成される屋根面の傾斜角度は、前記一方の屋根面７ａの傾斜角度と等しくなるように設定されている。
なお、このように第一屋根面材６ａと一方の屋根面７ａとを連続性を持った屋根とするために、これら第一屋根面材６ａと一方の屋根面７ａとを同一の屋根面材を使用して構成してもよいものとする。
また、本実施の形態においては、連続する前記第一屋根面材６ａの屋根面と一方の屋根面７ａの上には、太陽電池モジュールが設置されている。
【００４８】
前記第二屋根面材６ｂは、北側に配置されるとともに、前記外周屋根部７の他方の屋根面７ｂよりも高い位置に設けられ、この他方の屋根面７ｂとは連続しない屋根面を形成している。また、この第二屋根面材６ｂによって形成される屋根面の傾斜角度は、前記他方の屋根面７ｂの傾斜角度と略等しくなるように設定されている。
【００４９】
前記中央屋根部６には、図２に示すように、屋外に面する窓が形成されている。すなわち、前記第二屋根面材６ｂに、前記窓として天窓６ｃが形成されている。これによって、前記天窓６ｃを通じて前記中間部屋１１内の換気や採光が可能となる。特に、上空からの太陽光を前記中間部屋１１に差し込ませやすくなるとともに、上昇する暖かい空気を屋外へと排出しやすくなる。また、この中間部屋１１を介して、建物１内の通風性および採光性を向上できる。
なお、前記天窓６ｃは、前記第二屋根面材６ｂに形成された開口部と、この開口部に設けられる建具とを備え、開閉自在とされている。
【００５０】
前記中央屋根部６と、前記外周屋根部７の他方の屋根面７ｂとの間には、前記外壁８，９が設けられている。
前記外壁８は、前記中央屋根部６の第二屋根面材６ｂと、前記他方の屋根面７ｂとの間に設けられており、北側に配置されている。すなわち、この外壁８は、前記第二屋根面材６ｂの軒先側に配置されている。
また、この外壁８には、屋外に面して設けられる窓８ａが形成されている。これによって、前記窓８ａを通じて前記中間部屋１１内の換気や採光が可能となる。また、この中間部屋１１を介して、建物１内の通風性および採光性を向上できる。
しかも、前記中間部屋１１から屋外の風景を見ることができるので、建物１の中央に配置された前記中間部屋１１の開放感を高めることができる。
なお、この窓８ａは、前記外壁８に形成された開口部と、この開口部に設けられる建具とを備え、開閉自在とされている。
【００５１】
前記外壁９は、前記中央屋根部６の両方の妻側端部と、前記他方の屋根面７ｂとの間に設けられており、東側と西側とに配置されている。すなわち、この外壁９は、前記外壁８の両側端部に、この外壁８と直交するようにして設けられている。
【００５２】
次に、以上のような建物１における通風および採光の方法等について説明する。
日本では、太陽は、東の方角から昇り、南の空を通過して西へと沈む軌道を描くようにして移動するため、太陽光は南側から直射日光として降り注がれる。また、太陽光としては、このように南側から降り注がれる直射日光だけでなく、天空のあらゆる方向から地上に到達する天空光もある。したがって、建物１には、南側からの直射日光と天空光とを含む太陽光が降り注がれることになる。
本実施の形態においては、図２に示すように、太陽光を、前記中間部屋１１の天窓６ｃおよび窓８ａや、前記洗面室１５の天窓７ｃおよび窓５ｂ、前記部屋１２の窓５ａ等から建物１内部に差し込ませることができる。
特に、前記中間部屋１１の場合、建物１の中央付近に配置されているため、屋外からの光は届きにくい環境ではあるが、以上のように天窓６ｃや窓８ａから太陽光を差し込ませることができるので、確実に採光性を向上させることができる。
【００５３】
一方、通風においては、上述のように、前記窓５ａから前記部屋１２内に取り込んだ屋外の空気を、前記出入口１０ａを通じて前記収納室１０に流通させることができる。
また、前記収納室１０内に取り込んだ空気を、前記出入口１０ｃを通じて前記洗面室１５に流通させることができる。
また、前記洗面室１５に取り込んだ空気を、前記窓５ｂを通じて屋外へと排出することができる。さらに、このように洗面室１５に取り込んだ空気を、前記天窓７ｃを通じて屋外へと排出することもできる。
【００５４】
また、前記窓５ａから前記部屋１２内に取り込んだ屋外の空気を、前記手摺壁１１ａ上方の開口部を通じて前記中間部屋１１内に流通させることができる。
また、この中間部屋１１に取り込んだ空気を、前記外壁８に形成された窓８ａを通じて屋外へと排出することができる。さらに、このように中間部屋１１に取り込んだ空気を、前記天窓６ｃを通じて屋外へと排出することもできる。
【００５５】
また、暖かい空気はより高いところへと上昇していく性質を備える。このため、夏場等に建物１内の換気を行う際には、前記天窓６ｃや天窓７ｃを開放することによって、暖かい空気を効果的に排出することができるので好ましい。
【００５６】
なお、以上では南側から北側へと空気を流通させる点について説明しているが、逆方向に空気を流通させることもできるので、季節や周囲の環境等に合わせた通風が可能となり、建物１内の通風性を向上できる。
【００５７】
本実施の形態によれば、前記複数の部屋１２〜１９自体を、前記収納室１０および中間部屋１１の周囲に配置される前記周回通路２０として利用することができるので、この周回通路２０を通じて複数の部屋１２〜１９間を容易に行き来できる。さらに、前記収納室１０の出入口１０ａ〜１０ｄを通じて、前記収納室１０と、この収納室１０の四方に位置する部屋１２，１３，１５，１８との間を行き来できるので、この収納室１０の四方に位置する部屋１２，１３，１５，１８を含み、かつ周回通路２０として利用される前記複数の部屋１２〜１９と前記収納室１０との間の容易に行き来できる。これによって、建物１内の自由な動線を確保しつつ、前記収納室１０への物品の収納しやすさを向上できる。すなわち、前記収納室１０に前記複数の部屋１２〜１９の物品を収納することにより、建物１内に収納スペースを散在させる必要が無くなるので、前記複数の部屋１２〜１９で使用される物品を前記収納室１０に一まとめに収納できる。また、前記収納室１０に収納された物品を、どこかの部屋に移動させる際は、前記収納室１０と各部屋１２〜１９との間で物品を移動させるだけで済む。このように前記収納室１０への物品の収納しやすさを向上できるので、居住性の向上に貢献できる。
また、建物１内の空気を、前記周回通路２０として利用される前記複数の部屋１２〜１９間や、前記収納室１０と前記複数の部屋１２〜１９との間で循環させることができるとともに、前記中間部屋１１の窓を通じて建物１内の換気を行うことができる。さらに、前記中間部屋１１の窓を通じて、この中間部屋１１への採光を確実に行うことができる。これによって、建物１の通風性や採光性の向上でき、快適な屋内環境を形成できるので、居住性の向上に貢献できる。
【符号の説明】
【００５８】
１  建物
２  床
３  中間床
６  中央屋根部
６ｃ  天窓
８  外壁
８ａ  窓
１０  収納室
１０ａ〜１０ｄ  出入口
１１  中間部屋
１２  部屋
１３  キッチン
１４  浴室
１５  洗面室
１６  トイレ
１７  クローゼット
１８  和室
１９  玄関
２０  周回通路
２１〜２８  出入口
【図１】
0005684696.tif 000002
【図２】
0005684696.tif 000003
【図３】
0005684696.tif 000004